(57)【要約】【課題】換気機能及びフィルタ掃除機能を備えた空気調和機において、換気機能を適切に利用できない状況でのフィルタ掃除機能の不適切な動作を防止することができる空気調和機を提供する。【解決手段】換気機能を適切に利用できない状況の空気調和機１において、ＣＰＵ１１は、換気ユニット１３の動作の禁止を指示する禁止指示信号を信号受付部１５を介して取得した場合、自身のＲＡＭに設けてある換気禁止フラグ及びフィルタ掃除禁止フラグをオンにする。その後、リモコンを介してユーザがフィルタ掃除機能の実行を指示した場合、ＣＰＵ１１は、フィルタ掃除禁止フラグがオンであるか否かを判断し、オフである場合にのみフィルタ掃除ユニット１４を動作させる。【選択図】図２
2008014518.tif 000002
【特許請求の範囲】
【請求項１】
室内の空気を換気する換気ユニットと、空気中の塵埃を除去するフィルタを前記換気ユニットを利用して掃除するフィルタ掃除ユニットと、前記換気ユニット及びフィルタ掃除ユニットの動作を制御する制御手段とを有する空気調和機において、
前記換気ユニットの動作の禁止指示を受け付ける受付手段を備え、
前記制御手段は、前記受付手段が前記禁止指示を受け付けた場合、前記換気ユニット及びフィルタ掃除ユニットの動作を共に禁止するように構成してあることを特徴とする空気調和機。
【請求項２】
前記フィルタは、前記換気ユニット及びフィルタ掃除ユニットを含む空気調和機本体に着脱可能に構成してあり、
前記フィルタが前記空気調和機本体に装着されたことを検知する検知手段と、
前記空気調和機本体に装着されたフィルタを所定位置へ移動させる移動手段とを備え、
前記制御手段は、前記受付手段が前記禁止指示を受け付けた場合であって、前記検知手段が前記フィルタの装着を検知したときに、前記移動手段に前記フィルタを所定位置へ移動させるように構成してあることを特徴とする請求項１に記載の空気調和機。
【請求項３】
室内の空気を換気する換気ユニットと、空気中の塵埃を除去するフィルタを前記換気ユニットを利用して掃除するフィルタ掃除ユニットと、遠隔操作機から発せられた前記換気ユニット及びフィルタ掃除ユニットの動作を指示する動作指示信号を受け付ける信号受付部と、該信号受付部が受け付けた動作指示信号に基づいて前記換気ユニット及びフィルタ掃除ユニットの動作を制御する制御手段とを有する空気調和機において、
前記信号受付部は、前記遠隔操作機から発せられた前記換気ユニットの動作の禁止を指示する禁止指示信号を受け付けるように構成してあり、
前記制御手段は、前記信号受付部が前記禁止指示信号を受け付けた場合、前記換気ユニット及びフィルタ掃除ユニットの動作を共に禁止するように構成してあることを特徴とする空気調和機。
【請求項４】
前記フィルタは、前記換気ユニット及びフィルタ掃除ユニットを含む空気調和機本体に着脱可能に構成してあり、
前記フィルタが前記空気調和機本体に装着されたことを検知する検知手段と、
前記空気調和機本体に装着されたフィルタを所定位置へ移動させる移動手段とを備え、
前記制御手段は、前記信号受付部が前記禁止指示信号を受け付けた場合であって、前記検知手段が前記フィルタの装着を検知したときに、前記移動手段に前記フィルタを所定位置へ移動させるように構成してあることを特徴とする請求項３に記載の空気調和機。
【発明の詳細な説明】
【技術分野】
【０００１】
本発明は、室内の空気を室外へ排出する換気ユニット及び該換気ユニットを利用してフィルタを掃除するフィルタ掃除ユニットを有する空気調和機に関する。
【背景技術】
【０００２】
空気調和機は、空調すべき室内の壁面に取り付けられる室内ユニットと、室外に設置される室外ユニットとを有しており、室内ユニット及び室外ユニットは、内部に冷媒が充填されている冷媒配管を介して連結されている。なお、室内ユニット及び室外ユニットを連結する冷媒配管は、室内の壁の適宜箇所に設けられた配管穴に通され、室内及び室外の壁に沿って配置される。このような構成の空気調和機は、圧縮機又は減圧機によって圧縮又は減圧された冷媒が、室内ユニット及び室外ユニットのそれぞれに設けられた熱交換器によって放熱又は吸熱することにより、室内の空気を加熱又は冷却することができる。
【０００３】
近年では、室内環境へのユーザの関心が高まっていることから、室内の空気を換気する換気機能を備えた空気調和機が販売されている。換気機能を有する空気調和機では、冷媒配管と同様に、室内の空気を室外へ排出するための換気用ホースが、壁に設けられた配管穴を介して室内ユニット及び室外ユニットに連結されている。
【０００４】
一方、壁に沿って配置される配管を壁の内部へ埋め込むことによって建物の美観を保つようにした隠蔽配管という配管方法が採られる場合がある。隠蔽配管の場合、配管が建物の建築中に壁の内部へ埋め込まれるため、建物の完成後に配管を取り替えることはできない。従って、隠蔽配管で取り付けられた空気調和機を、換気機能を備えた空気調和機に取り替える場合、換気用ホースを室外へ出すことができない可能性がある。
【０００５】
また、換気機能を有する空気調和機は、冷媒配管だけでなく換気用ホースも配管穴に通す必要がある。このため、換気機能を有していない空気調和機を、換気機能を有する空気調和機に取り替える場合には、換気機能を有していない空気調和機を設置する際に設けられた配管穴が小さいために、換気用ホースを室外へ出すことができない可能性がある。
【０００６】
これらのように換気用ホースを室外へ出すことができないために、換気機能を適切に利用できない状況の空気調和機においては、換気機能が動作した場合に室外へ排出されるべき空気が適切に排出されず、室内のユーザが不快な思いをする虞がある。このような事情から、特許文献１には、換気機能を有する空気調和機において、換気機能を適切に利用できない状況となった場合に換気機能の動作を禁止する空気調和機が開示されている。このような空気調和機では、ユーザが誤って換気機能の実行を指示した場合であっても換気機能の動作を確実に禁止することができる。
【特許文献１】特開２００５−１８０７７６号公報
【発明の開示】
【発明が解決しようとする課題】
【０００７】
また、機器のメンテナンスのためのユーザの負担を軽減する目的で、上述した換気機能を利用してフィルタを掃除することが可能なフィルタ掃除機能を備えた空気調和機が知られている。フィルタ掃除機能は、フィルタに付着した塵埃を擦り落とすためのブラシを備え、ブラシを動作させることによって擦り落とされた塵埃を換気機能を利用して換気用ホースを介して室外へ排出することにより実現されている。
【０００８】
このようなフィルタ掃除機能を備えた空気調和機において、換気機能を適切に利用できない状況でフィルタ掃除機能が動作した場合、フィルタから擦り落とされた塵埃が室外へ適切に排出されずに室内の空気を汚す虞があるという問題がある。
【０００９】
本発明は斯かる事情に鑑みてなされたものであり、その目的とするところは、換気機能及びフィルタ掃除機能を備えた空気調和機において、換気機能を適切に利用できない状況でのフィルタ掃除機能の不適切な動作を確実に防止することが可能な空気調和機を提供することにある。
【００１０】
本発明の他の目的は、換気機能及びフィルタ掃除機能を備えた空気調和機において、換気機能を適切に利用できない状況で、フィルタが空気調和機本体に装着された場合に、フィルタ掃除機能の不適切な動作を防止しつつ、装着されたフィルタを適切な位置へセットすることが可能な空気調和機を提供することにある。
【課題を解決するための手段】
【００１１】
本発明に係る空気調和機は、室内の空気を換気する換気ユニットと、空気中の塵埃を除去するフィルタを前記換気ユニットを利用して掃除するフィルタ掃除ユニットと、前記換気ユニット及びフィルタ掃除ユニットの動作を制御する制御手段とを有する空気調和機において、前記換気ユニットの動作の禁止指示を受け付ける受付手段を備え、前記制御手段は、前記受付手段が前記禁止指示を受け付けた場合、前記換気ユニット及びフィルタ掃除ユニットの動作を共に禁止するように構成してあることを特徴とする。
【００１２】
本発明によれば、室内の空気を換気する換気ユニット及び該換気ユニットを利用したフィルタ掃除ユニットを有する空気調和機が、換気ユニットの動作の禁止指示を受け付けた場合、換気ユニット及びフィルタ掃除ユニットの動作を共に禁止する。よって、換気ユニットの動作が禁止された状況の空気調和機において、フィルタ掃除ユニットの動作を確実に禁止することが可能となる。
【００１３】
本発明に係る空気調和機は、前記フィルタは、前記換気ユニット及びフィルタ掃除ユニットを含む空気調和機本体に着脱可能に構成してあり、前記フィルタが前記空気調和機本体に装着されたことを検知する検知手段と、前記空気調和機本体に装着されたフィルタを所定位置へ移動させる移動手段とを備え、前記制御手段は、前記受付手段が前記禁止指示を受け付けた場合であって、前記検知手段が前記フィルタの装着を検知したときに、前記移動手段に前記フィルタを所定位置へ移動させるように構成してあることを特徴とする。
【００１４】
本発明によれば、フィルタを空気調和機本体に着脱可能に構成してある空気調和機が、換気ユニットの動作の禁止指示を受け付けて換気ユニットの動作を禁止している状態で、フィルタが空気調和機本体に装着された場合、フィルタ掃除ユニットを動作させることなく、装着されたフィルタを所定位置へ移動させることが可能となる。
【００１５】
本発明に係る空気調和機は、室内の空気を換気する換気ユニットと、空気中の塵埃を除去するフィルタを前記換気ユニットを利用して掃除するフィルタ掃除ユニットと、遠隔操作機から発せられた前記換気ユニット及びフィルタ掃除ユニットの動作を指示する動作指示信号を受け付ける信号受付部と、該信号受付部が受け付けた動作指示信号に基づいて前記換気ユニット及びフィルタ掃除ユニットの動作を制御する制御手段とを有する空気調和機において、前記信号受付部は、前記遠隔操作機から発せられた前記換気ユニットの動作の禁止を指示する禁止指示信号を受け付けるように構成してあり、前記制御手段は、前記信号受付部が前記禁止指示信号を受け付けた場合、前記換気ユニット及びフィルタ掃除ユニットの動作を共に禁止するように構成してあることを特徴とする。
【００１６】
本発明によれば、遠隔操作機からの操作が可能な空気調和機が、換気ユニットの動作の禁止を指示する禁止指示信号を遠隔操作機から受け付けた場合、換気ユニット及びフィルタ掃除ユニットの動作を共に禁止する。よって、換気ユニットの動作が禁止された状況の空気調和機において、フィルタ掃除ユニットの動作を確実に禁止することが可能となる。
【００１７】
本発明に係る空気調和機は、前記フィルタは、前記換気ユニット及びフィルタ掃除ユニットを含む空気調和機本体に着脱可能に構成してあり、前記フィルタが前記空気調和機本体に装着されたことを検知する検知手段と、前記空気調和機本体に装着されたフィルタを所定位置へ移動させる移動手段とを備え、前記制御手段は、前記信号受付部が前記禁止指示信号を受け付けた場合であって、前記検知手段が前記フィルタの装着を検知したときに、前記移動手段に前記フィルタを所定位置へ移動させるように構成してあることを特徴とする。
【００１８】
本発明によれば、フィルタを空気調和機本体に着脱可能に構成してある空気調和機が、換気ユニットの動作の禁止を指示する禁止指示信号を遠隔操作機から受け付けて換気ユニットの動作を禁止している状態で、フィルタが空気調和機本体に装着された場合、フィルタ掃除ユニットを動作させることなく、装着されたフィルタを所定位置へ移動させることが可能となる。
【発明の効果】
【００１９】
本発明では、換気ユニットを適切に利用できない状況の空気調和機において、換気ユニットの動作の禁止指示を受け付けて換気ユニットの動作を禁止する場合に、フィルタ掃除ユニットの動作も禁止する。これにより、ユーザが誤ってフィルタ掃除ユニットの動作を指示した場合であっても、フィルタ掃除ユニットの不適切な動作を確実に防止することができる。また、ユーザは、換気ユニットの動作禁止のみを指示すればよく、フィルタ掃除ユニットの動作禁止を指示する操作負担を軽減することができる。
【００２０】
本発明では、換気ユニットの動作の禁止指示を受け付けて換気ユニットの動作を禁止している状態でフィルタが空気調和機本体に装着された場合、フィルタ掃除ユニットの不適切な動作を防止しつつ、一旦取り外して再度装着されたフィルタを適切な位置へセットすることができる。
【００２１】
本発明では、換気ユニットを適切に利用できない状況の空気調和機において、換気ユニットの動作の禁止を指示する禁止指示信号を遠隔操作機から受け付けて換気ユニットの動作を禁止する場合に、フィルタ掃除ユニットの動作も禁止する。これにより、ユーザが誤ってフィルタ掃除ユニットの動作を指示した場合であっても、フィルタ掃除ユニットの不適切な動作を確実に防止することができる。また、ユーザは、遠隔操作機を介して換気ユニットの動作禁止のみを指示すればよく、フィルタ掃除ユニットの動作禁止を指示する操作負担を軽減することができる。
【００２２】
本発明では、換気ユニットの動作の禁止を指示する禁止指示信号を遠隔操作機から受け付けて換気ユニットの動作を禁止している状態でフィルタが空気調和機本体に装着された場合、フィルタ掃除ユニットの不適切な動作を防止しつつ、一旦取り外して再度装着されたフィルタを適切な位置へセットすることができる。
【発明を実施するための最良の形態】
【００２３】
以下に、本発明をその実施形態を示す図面に基づいて詳述する。図１は本発明に係る空気調和機の室内ユニットの内部構成例を示す模式図である。本実施形態に係る空気調和機１は、リモートコントロール装置（以下、リモコンという）１ａによって遠隔操作できるように構成されている。従って、空気調和機１は、ユーザがリモコン（遠隔操作機）１ａを操作することによってリモコン１ａから発せられる信号に基づいて、室内の暖房及び冷房をそれぞれ行なう暖房運転及び冷房運転を実行し、室内の温度を調節する空調動作を行なう。なお、空気調和機１及びリモコン１ａは、例えば、赤外線を利用したＩｒＤＡ（Infrared Data Association）規格に従う無線通信を行なうように構成されている。
【００２４】
空気調和機１は、空調すべき室内の壁１００に取り付けられた室内ユニット３と、室外に設置される室外ユニット２と、室内ユニット３及び室外ユニット２を連結するパイプ２ａとを備えている。パイプ２ａの内部には、内部に冷媒が充填してある冷媒配管（図示せず）が通されている。パイプ２ａは、壁１００の適宜箇所に穿設された配管穴１００ａに通されると共に、壁１００の室内側及び室外側の壁面に沿って配置されている。
【００２５】
冷媒配管は、室内ユニット３に設けられた室内熱交換器３０，３１，３２と、室外ユニット２に設けられた室外熱交換器（図示せず）とを連結する。図示しない圧縮機又は減圧機によって圧縮又は減圧された冷媒配管内の冷媒が、室内熱交換器３０，３１，３２及び室外熱交換器によって放熱又は吸熱することにより、空気調和機１は室内の空気を加熱又は冷却することができる。
【００２６】
室内ユニット３の内部には、室内熱交換器３０，３１，３２によって加熱又は冷却された空気を室内へ吹き出す送風ファン３３と、送風ファン３３によって室内へ吹き出される空気の吹出風向を上下方向に沿って調整する風向板３４とが更に設けられている。また、室内ユニット３の内部には、室内から吸い込まれて室内熱交換器３０，３１，３２によって加熱又は冷却される空気に含まれる塵埃を取り除くためのフィルタ３５，３６と、フィルタ３５，３６に付着した塵埃を擦り落とすためのクリーニングブラシ３７とが設けられている。
【００２７】
なお、クリーニングブラシ３７は、例えば、図示しない駆動モータにより回転することによって、クリーニングブラシ３７に対して相対移動するフィルタ３５，３６に付着した塵埃を擦り落とすように構成されている。フィルタ３５，３６は、室内ユニット３に着脱可能に構成されており、ユーザは、フィルタ３５，３６を室内ユニット３から取り外して掃除することができる。なお、フィルタ３５，３６は、フィルタ３５，３６を脱着するための所定箇所にユーザによって取り付けられた後、フィルタ駆動部（図２参照）１７によって、フィルタ３５，３６本来の機能を発揮させるための所定の初期位置へ移動される。
【００２８】
更に、室内ユニット３の内部には、室内から吸い込まれた空気を室外へ排出して換気動作を行なうための換気用ファン３８と、換気用ファン３８を駆動させるための駆動モータ（図示せず）とが設けられている。換気用ファン３８によって室内から吸い込まれた空気は、図示しない換気用ホースを介して室外ユニット２へ排出される。従って、換気用ファン３８、駆動モータ及び換気用ホースによって、室内の空気を室外へ排出する換気機能を実現する換気ユニット１３（図２参照）が構成される。なお、室内ユニット３及び室外ユニット２を連結する換気用ホースは、冷媒配管と同様に、パイプ２ａの内部に通して用いる。
【００２９】
上述した構成により、クリーニングブラシ３７を駆動させることによってフィルタ３５，３６から擦り落とされた塵埃を、前述の換気ユニット１３を利用して室外へ排出してフィルタ３５，３６を掃除するフィルタ掃除機能を実現するフィルタ掃除ユニット１４（図２参照）が構成される。従って、例えば、暖房又は冷房の運転が停止されている状態でフィルタ掃除ユニットを動作させることにより、より具体的には、フィルタ３５，３６を移動させつつクリーニングブラシ３７を回転させることにより、暖房又は冷房の運転によってフィルタ３５，３６に付着した塵埃を適宜取り除くことが可能となり、暖房又は冷房を効率よく行なうことができると共に、室内の空気を換気することができる。
【００３０】
以下に、本実施形態に係る空気調和機１の制御系の構成について説明する。図２は本発明に係る空気調和機１の制御系の要部構成例を示すブロック図である。空気調和機１は、ＲＯＭ及びＲＡＭが内蔵されたＣＰＵ１１、図１に示した構成により室外の空気と室内の空気との間で熱交換を行なうことによって冷房運転又は暖房運転を行なう空調部１２、前述したフィルタ掃除ユニット１４、信号受付部１５等を備えており、それぞれはバス１０を介して相互に接続されている。なお、このようなハードウェア各部は図示しない電源装置から供給される電力によって動作する。
【００３１】
ＣＰＵ（制御手段）１１は、空気調和機１の主制御部であり、バス１０を介して接続される上述したようなハードウェア各部を制御すると共に、自身に内蔵されたＲＯＭに予め格納されている制御プログラムを適宜ＲＡＭに読み出して実行する。ＲＯＭには、空気調和機１を本発明に係る空気調和機として動作させるために必要な種々の制御プログラムが予め格納されている。ＲＡＭはＳＲＡＭ又はフラッシュメモリ等で構成されており、ＣＰＵ１１による制御プログラムの実行時に発生するデータを一時的に記憶する。
【００３２】
信号受付部１５は、リモコン１ａから発せられる各種の制御信号を受け付け、受け付けた制御信号をＣＰＵ１１へ送出する。ＣＰＵ１１は、信号受付部１５から送出された制御信号に基づいて、ＲＯＭに格納されている制御プログラムを適宜実行する。なお、リモコン１ａは、冷房運転又は暖房運転の選択、目標温度の設定、風向の変更、換気機能の実行、フィルタ掃除機能の実行等の指示をユーザが行なうための操作ボタンを備えており、ユーザによって操作された操作ボタンに対応して、空気調和機１に設けられるハードウェア各部の動作を指示する動作指示信号を送出する。
【００３３】
フィルタ掃除ユニット１４は、前述した換気ユニット１３、クリーニングブラシ３７、フィルタ３５，３６等のほか、フィルタ検知部１６及びフィルタ駆動部１７を備えている。フィルタ検知部（検知手段）１６は、フィルタ３５，３６が取り付けられているか否かを検知するセンサである。従って、フィルタ検知部１６は、例えばユーザによる掃除のために取り外されていたフィルタ３５，３６が再度取り付けられた場合に、フィルタ３５，３６が取り外されていた状態から取り付けられた状態へ変化したことを検知する。
【００３４】
フィルタ駆動部（移動手段）１７は、フィルタ検知部１６がフィルタ３５，３６の装着を検知した場合、ＣＰＵ１１による制御に従ってフィルタ３５，３６を所定の初期位置へ移動させる。これにより、一旦取り外されて再度取り付けられたフィルタ３５，３６を適切な初期位置へセットすることができる。なお、フィルタ駆動部１７は、フィルタ３５，３６が装着された場合に限らず、空気調和機１が行なう通常のフィルタの掃除動作に際し、クリーニングブラシ３７に対して適宜フィルタ３５，３６を相対移動させる。
【００３５】
ここで、本実施形態では、換気機能を有していない空気調和機を取り外した後に本発明に係る空気調和機１を用いる場合について説明する。具体的には、換気機能を有する空気調和機１は、前述したように、冷媒配管だけでなく換気用ホースもパイプ２ａ内部に通す必要があるが、換気機能を有してない空気調和機を設置する際に設けられた配管穴１００ａが小さいために、換気機能を有する空気調和機１を設置する際に、換気用ホースを配管穴１００ａを介して室外へ出すことができない場合について説明する。
【００３６】
このように換気用ホースを室外へ出すことができない状況の空気調和機１において、換気ユニット１３が動作した場合、室外へ排出されるべき空気が排出されずに室内のユーザが不快な思いをする虞がある。このように換気機能を適切に利用できない状況は、空気調和機１を設置した時点で明らかであるため、空気調和機１を設置したサービスマン又はユーザは、空気調和機１の設置後に換気機能の動作の禁止を設定しておく必要がある。従って、本実施形態のリモコン１ａには、換気機能の動作の禁止をユーザが指示するための換気禁止ボタンが設けられている。
【００３７】
サービスマン又はユーザがリモコン１ａの換気禁止ボタンを操作した場合、リモコン１ａは、対応する制御信号、具体的には、換気ユニット１３の動作の禁止を指示する禁止指示信号を信号受付部１５へ送出する。信号受付部１５は、リモコン１ａから禁止指示信号を受け付けた場合、受け付けた禁止指示信号をＣＰＵ１１へ送出する。ＣＰＵ１１は、自身のＲＡＭに、換気ユニット１３の動作禁止を示す換気禁止フラグを設けており、信号受付部１５から禁止指示信号を取得した場合、換気禁止フラグをオンにする。
【００３８】
従って、ＣＰＵ１１は、リモコン１ａを介してユーザが換気機能の実行を指示した場合、換気禁止フラグがオンであるか否かを判断し、オフである場合にのみ換気ユニット１３を動作させる。これにより、換気機能を適切に利用できない状況の空気調和機１において、ユーザが誤って換気機能の実行を指示した場合であっても、換気ユニット１３の動作を確実に禁止し、換気ユニット１３の不適切な動作を防止することができる。
【００３９】
更に、換気機能を適切に利用できない状況の空気調和機１において、フィルタ掃除ユニット１４が動作した場合、フィルタ３５，３６から擦り落とされた塵埃が室外へ適切に排出されずに室内の空気を汚す虞がある。従って、本発明の空気調和機１は、換気機能の動作を禁止する際に、フィルタ掃除機能の動作も併せて禁止するように構成してある。具体的には、ＣＰＵ１１は、自身のＲＡＭに、フィルタ掃除ユニット１４の動作禁止を示すフィルタ掃除禁止フラグを更に設けており、信号受付部１５から禁止指示信号を取得した場合、換気禁止フラグと共にフィルタ掃除禁止フラグをオンにする。
【００４０】
従って、ＣＰＵ１１は、リモコン１ａを介してユーザがフィルタ掃除機能の実行を指示した場合、フィルタ掃除禁止フラグがオンであるか否かを判断し、オフである場合にのみフィルタ掃除ユニット１４を動作させる。これにより、換気機能を適切に利用できない状況の空気調和機１において、ユーザが誤ってフィルタ掃除機能の実行を指示した場合であっても、フィルタ掃除ユニット１４の動作を確実に禁止し、フィルタ掃除ユニット１４の不適切な動作を防止することができる。なお、サービスマン又はユーザは、換気機能の動作禁止のみを指示すればよく、操作負担を軽減することができる。
【００４１】
更に、本実施形態の空気調和機１は、取り外されていたフィルタ３５，３６が所定箇所に取り付けられた場合、フィルタ駆動部１７によりフィルタ３５，３６を移動させて適切な位置へセットするように構成されている。従って、ＣＰＵ１１は、フィルタ検知部１６がフィルタ３５，３６の装着を検知した場合、フィルタ掃除禁止フラグがオンであるか否かを判断し、オフである場合にのみフィルタ掃除ユニット１４を動作させる。なお、フィルタ掃除禁止フラグがオンである場合、ＣＰＵ１１は、フィルタ駆動部１７のみを制御してフィルタ３５，３６を所定の初期位置へ移動させる。これにより、換気ユニット１３及びフィルタ掃除ユニット１４の動作が禁止されている場合には、フィルタ掃除機能の不適切な動作を防止しつつ、一旦取り外されて再度装着されたフィルタ３５，３６を適切な初期位置へセットすることができる。
【００４２】
以下に、本実施形態の空気調和機１において、換気機能の動作を禁止するための設定処理について説明する。図３は本発明に係る空気調和機１における換気機能の動作の禁止を設定する処理の手順を示すフローチャートである。なお、以下の処理は、ＣＰＵ１１に内蔵されたＲＯＭに格納されている制御プログラムに従ってＣＰＵ１１によって実行される。
【００４３】
本発明に係る空気調和機１を設置したサービスマンは、空気調和機１の設置状況に基づいて、空気調和機１における換気機能を利用できるか否かを判断し、利用できない場合、空気調和機１の設置後の空気調和機１が運転されていないときにリモコン１ａの換気禁止ボタンを操作する。
【００４４】
ＣＰＵ１１は、リモコン１ａから発せられた制御信号を信号受付部１５を介して受け付けたか否かを判断しており（Ｓ１）、制御信号を受け付けていないと判断した場合（Ｓ１：ＮＯ）、制御信号を受け付けるまで待機する。ＣＰＵ１１は、リモコン１ａから発せられた制御信号を受け付けたと判断した場合（Ｓ１：ＹＥＳ）、換気機能の動作の禁止を指示する禁止指示信号を受け付けたか否かを判断する（Ｓ２）。ＣＰＵ１１は、禁止指示信号を受け付けていないと判断した場合（Ｓ２：ＮＯ）、受け付けた制御信号に対応して、通常動作における通常の処理を実行する（Ｓ４）。ＣＰＵ１１は、禁止指示信号を受け付けたと判断した場合（Ｓ２：ＹＥＳ）、自身のＲＡＭに設けられた換気禁止フラグ及びフィルタ掃除禁止フラグを共にオンにする（Ｓ３）。
【００４５】
以下に、本実施形態の空気調和機１における制御処理について説明する。図４及び図５は本発明に係る空気調和機１における制御処理の手順を示すフローチャートである。なお、以下の処理は、ＣＰＵ１１に内蔵されたＲＯＭに格納されている制御プログラムに従ってＣＰＵ１１によって実行される。
【００４６】
所定箇所に設置された空気調和機１において、ＣＰＵ１１は、空気調和機１が運転中であるか否かを判断しており（Ｓ１１）、運転中であると判断した場合（Ｓ１１：ＹＥＳ）、リモコン１ａから発せられた制御信号を信号受付部１５を介して受け付けたか否かを判断する（Ｓ１２）。ＣＰＵ１１は、制御信号を受け付けていないと判断した場合（Ｓ１２：ＮＯ）、制御信号を受け付けるまで通常動作における処理を行ないつつ待機しており、制御信号を受け付けたと判断した場合（Ｓ１２：ＹＥＳ）、フィルタ掃除ユニット１４の動作を指示する動作指示信号を受け付けたか否かを判断する（Ｓ１３）。
【００４７】
ＣＰＵ１１は、フィルタ掃除ユニット１４の動作指示信号を受け付けていないと判断した場合（Ｓ１３：ＮＯ）、ステップＳ１２で受け付けた制御信号に基づいて、通常動作における通常の処理を実行し（Ｓ１４）、ステップＳ１６へ処理を移行する。なお、ステップＳ１４での処理の結果、運転中から停止状態になる場合がある。ＣＰＵ１１は、フィルタ掃除ユニット１４の動作指示信号を受け付けたと判断した場合（Ｓ１３：ＹＥＳ）、フィルタ掃除ユニット１４の動作指示信号を受け付けたことを示す所定の情報を自身のＲＡＭに記憶させる（Ｓ１５）。
【００４８】
ＣＰＵ１１は、空気調和機１が運転中であるか否かを判断し（Ｓ１６）、運転中であると判断した場合（Ｓ１６：ＹＥＳ）、ステップＳ１２へ処理を戻し、リモコン１ａから発せられた制御信号を受け付けたか否かを判断し（Ｓ１２）、受け付けた制御信号に基づく各種の処理を実行する。
【００４９】
ＣＰＵ１１は、空気調和機１が運転中でないと判断した場合（Ｓ１６：ＮＯ）、ステップＳ１５でＲＡＭに所定の情報を記憶したか否かに基づいて、フィルタ掃除ユニット１４の動作指示信号を受け付けていたか否かを判断する（Ｓ１７）。ＣＰＵ１１は、フィルタ掃除ユニット１４の動作指示信号を受け付けていないと判断した場合（Ｓ１７：ＮＯ）、ステップＳ１１へ処理を戻す。なお、ここでは、空気調和機１は運転が停止された状態である。
【００５０】
ステップＳ１７で、ＣＰＵ１１は、フィルタ掃除ユニット１４の動作指示信号を受け付けていたと判断した場合（Ｓ１７：ＹＥＳ）、ＲＡＭに設けられたフィルタ掃除禁止フラグがオンであるか否かを判断する（Ｓ１８）。ＣＰＵ１１は、フィルタ掃除禁止フラグがオンであると判断した場合（Ｓ１８：ＹＥＳ）、何も行なわずにステップＳ１１へ処理を戻す。ＣＰＵ１１は、フィルタ掃除禁止フラグがオンでないと判断した場合（Ｓ１８：ＮＯ）、フィルタ掃除ユニット１４を動作させ（Ｓ１９）、クリーニングブラシ３７等を用いてフィルタ３５，３６を掃除し、ステップＳ１１へ処理を戻す。なお、ステップＳ１８でＹＥＳの場合、及びステップＳ１９の処理が終了した場合、空気調和機１は運転が停止された状態である。
【００５１】
一方、ステップＳ１１において、ＣＰＵ１１は、運転中でないと判断した場合（Ｓ１１：ＮＯ）、フィルタ検知部１６の検知結果に基づいて、フィルタ３５，３６が装着されているか否かを判断する（Ｓ２０）。ＣＰＵ１１は、フィルタ３５，３６が装着されていると判断した場合（Ｓ２０：ＹＥＳ）、前述したステップＳ１２へ処理を移行し、リモコン１ａから発せられた制御信号を受け付けたか否かを判断し（Ｓ１２）、受け付けた制御信号に基づく各種の処理を前述同様に実行する。
【００５２】
ＣＰＵ１１は、フィルタ３５，３６が装着されていないと判断した場合（Ｓ２０：ＮＯ）、フィルタ検知部１６の検知結果に基づいて、それまでは装着されていなかったフィルタ３５，３６が装着されたか否かを判断する（Ｓ２１）。ＣＰＵ１１は、フィルタ３５，３６が装着されていないと判断した場合（Ｓ２１：ＮＯ）、ステップＳ１１へ処理を戻す。なお、ここでは、空気調和機１は運転が停止された状態である。
【００５３】
ＣＰＵ１１は、フィルタ検知部１６の検知結果に基づいて、フィルタ３５，３６が装着されたと判断した場合（Ｓ２１：ＹＥＳ）、ＲＡＭに設けられたフィルタ掃除禁止フラグがオンであるか否かを判断する（Ｓ２２）。ＣＰＵ１１は、フィルタ掃除禁止フラグがオンであると判断した場合（Ｓ２２：ＹＥＳ）、フィルタ駆動部１７のみを制御してフィルタ３５，３６を所定の初期位置へ移動させ（Ｓ２３）、ステップＳ１１へ処理を戻す。ＣＰＵ１１は、フィルタ掃除禁止フラグがオンでないと判断した場合（Ｓ２２：ＮＯ）、フィルタ掃除ユニット１４を動作させ（Ｓ２４）、装着されたフィルタ３５，３６をクリーニングブラシ３７等を用いて掃除すると共に、フィルタ３５，３６を所定の初期位置へ移動させ、ステップＳ１１へ処理を戻す。なお、ステップＳ２３及びステップＳ２４の処理が終了した場合、空気調和機１は運転が停止された状態である。
【００５４】
なお、換気機能を適切に利用できない空気調和機１においては、フィルタ掃除禁止フラグが常にオンに設定されているため、ステップＳ１８及びステップＳ２２において、ＣＰＵ１１は常に、フィルタ掃除禁止フラグがオンであると判断する。
【００５５】
上述したように、換気機能及びフィルタ掃除機能を有する空気調和機１において、換気機能を適切に利用できない場合、換気機能の動作を禁止すると共にフィルタ掃除機能の動作も禁止しておくことにより、ユーザが誤ってフィルタ掃除機能の実行を指示した場合であっても、フィルタ掃除ユニット１４の不適切な動作を防止することができる。
【００５６】
上述した実施形態では、配管穴１００ａが小さいことにより、本来パイプ２ａの内部に通される換気用ホースを通すことができない場合について説明したが、配管を壁の内部へ埋め込む隠蔽配管で設置された空気調和機を、本発明に係る空気調和機１に取り替える場合も、換気用ホースを室内ユニット３及び室外ユニット２の間に設けることができないため、本発明は有効である。
【００５７】
上述した実施形態では、空気調和機１がリモコン１ａからの制御信号に従って動作する構成について説明したが、例えば、各種の動作を指示するための操作スイッチを室内ユニット３に設ける構成としてもよい。また、室内ユニット３に設けられた操作スイッチの操作及びリモコン１ａの操作の両方によって動作するように空気調和機１を構成してもよい。
【００５８】
また、上述した実施形態では、フィルタ掃除ユニット１４の動作が禁止されている状態で、フィルタ掃除機能の実行が指示された場合、何も行なわずに通常動作を継続する構成について説明したが、例えば、空気調和機１の運転状況等を表示する表示パネルを備えることにより、フィルタ掃除機能の実行が禁止されている旨をユーザへ通知する構成としてもよい。また、リモコン１ａに表示部を設け、リモコン１ａの表示部を介してフィルタ掃除機能の実行が禁止されている旨を通知する構成としてもよい。
【００５９】
更に、上述した実施形態では、空気調和機１が室内の温度を調節する空調機能、換気機能及びフィルタ掃除機能を備えた構成について説明したが、これらの機能のほか、室内を除湿する除湿機能、浮遊する細菌、ウィルス等を殺菌する殺菌機能、室内を加湿する加湿機能等を行なう構成であってもよく、室内及び屋外の温度、湿度等に基づいて、各種機能を切り替える自動運転を行なう構成であってもよい。
【００６０】
更に、上述した実施形態では、空気調和機１が、フィルタ掃除ユニット１４の動作が禁止されている状態で、フィルタ掃除機能の実行が指示された場合に、フィルタ掃除機能の実行を禁止する構成について説明したが、フィルタ掃除ユニット１４の動作が禁止されている状態では、フィルタ掃除機能の実行を空気調和機１に対して指示できないようにリモコン１ａを構成するようにしてもよい。
【図面の簡単な説明】
【００６１】
【図１】本発明に係る空気調和機の室内ユニットの内部構成例を示す模式図である。
【図２】本発明に係る空気調和機の制御系の要部構成例を示すブロック図である。
【図３】本発明に係る空気調和機における換気機能の動作の禁止を設定する処理の手順を示すフローチャートである。
【図４】本発明に係る空気調和機における制御処理の手順を示すフローチャートである。
【図５】本発明に係る空気調和機における制御処理の手順を示すフローチャートである。
【符号の説明】
【００６２】
１  空気調和機
２  室外ユニット
３  室内ユニット
１１  ＣＰＵ（制御手段）
１３  換気ユニット
１４  フィルタ掃除ユニット
１５  信号受付部
１６  フィルタ検知部（検知手段）
１７  フィルタ駆動部（移動手段）
３５，３６  フィルタ
１ａ  リモコン（遠隔操作機）
【図１】
2008014518.tif 000003
【図２】
2008014518.tif 000004
【図３】
2008014518.tif 000005
【図４】
2008014518.tif 000006
【図５】
2008014518.tif 000007